(57)【要約】【課題】  髪止め具において、髪の結束作業時や結束解除作業時において不快感がなく容易に作業可能であると共に、多様な装飾効果を得ること。【解決手段】  樹脂及びゴム材の少なくとも一方からなる保護層３で覆われた変形可能な金属棒部２と、金属棒部２の両端部に着脱自在に設けられた端部カバー４と、を備えている。これにより、ゴム紐のように収縮力を用いずに、金属棒部２を手で曲げて髪を容易に束ねることができると共に、結束を解く際も手で金属棒部２を伸ばして横から抜くだけで容易に取り外すことができる。【選択図】      図１
2006296512.tif 000002
【特許請求の範囲】
【請求項１】
樹脂及びゴム材の少なくとも一方からなる保護層で覆われた変形可能な金属棒部と、
前記金属棒部の両端部に着脱自在に設けられた端部カバーと、を備えていることを特徴とする髪止め具。
【請求項２】
請求項１に記載の髪止め具において、
前記端部カバーが、装飾された端部装飾部を備えていることを特徴とする髪止め具。
【請求項３】
請求項１又は２に記載の髪止め具において、
前記金属棒部が、並列した複数の金属棒を芯材として備えていることを特徴とする髪止め具。
【請求項４】
請求項１から３のいずれか一項に記載の髪止め具において、
前記端部カバーを取り外した状態で前記金属棒部を挿通させて前記金属棒部に取り付け可能な筒状装着部材を備えていることを特徴とする髪止め具。
【請求項５】
請求項４に記載の髪止め具において、
前記筒状装着部材が、装飾された中間装飾部を備えていることを特徴とする髪止め具。
【請求項６】
請求項４又は５に記載の髪止め具において、
前記筒状装着部材が、櫛部を備えていることを特徴とする髪止め具。
【請求項７】
請求項１から６のいずれか一項に記載の髪止め具において、
前記保護層の表面が、シリコーン樹脂で形成されていることを特徴とする髪止め具。
【請求項８】
請求項１から７のいずれか一項に記載の髪止め具において、
前記保護層の表面に凹凸が形成されていることを特徴とする髪止め具。
【発明の詳細な説明】
【技術分野】
【０００１】
本発明は、長い髪を束ねる際に用いる髪止め具に関する。
【背景技術】
【０００２】
一般に、髪を束ねたり所定の髪型を維持するために、ヘアピンや輪ゴム等が使用されている。また、これらのヘアピンや輪ゴム等は、ヘアアクセサリーの一つとして髪の装飾に活用されている。
例えば、ロングヘアーを束ねるには、輪ゴム等で髪を結束してポニーテール等にすることが行われている。しかしながら、輪ゴムで髪を結束する場合には、束ねた髪を輪ゴムに通し、輪ゴムを２〜３重に巻き付ける作業が必要であり、手間がかかっていた。
【０００３】
このため、例えば、特許文献１には、ゴム紐の両端に対をなす係脱手段を取り付けた髪止め具が提案されている。この髪止め具では、ゴム紐に係脱手段を設けることで、ゴム紐を束ねた髪に２〜３重に巻き付けた後に、一対の係脱手段を連結させて髪を結束状態とするものである。
【０００４】
【特許文献１】特開平９−１２１９２８号公報（特許請求の範囲、図１）
【発明の開示】
【発明が解決しようとする課題】
【０００５】
上記従来の技術には、以下の課題が残されている。
従来の輪ゴムや髪止め具では、ゴムを束ねた髪に巻き付けるため、髪の結束作業時や結束を解いて輪ゴムやゴム紐を取り外す際に、ゴムの収縮力によって作業がし難いと共に、髪の毛が引っ張られる等、不快感を感じることが多いという不都合があった。また、輪ゴムや上記髪止め具等に装飾を施してヘアアクセサリーとして使用する場合、デザイン性に乏しく装飾効果が得難いと共に、デザインの変更が不可能で、多様なファッション性を得ることができないという不都合があった。
【０００６】
本発明は、前述の課題に鑑みてなされたもので、髪の結束作業時や結束解除作業時において不快感がなく容易に作業可能であると共に、多様な装飾効果を得ることができる髪止め具を提供することを目的とする。
【課題を解決するための手段】
【０００７】
本発明は、前記課題を解決するために以下の構成を採用した。すなわち、本発明の髪止め具は、樹脂及びゴム材の少なくとも一方からなる保護層で覆われた変形可能な金属棒部と、前記金属棒部の両端部に着脱自在に設けられた端部カバーと、を備えていることを特徴とする。
【０００８】
この髪止め具では、変形可能な金属棒部を備えているので、ゴム紐のように収縮力を用いずに、金属棒部を手で曲げて髪を容易に束ねることができると共に、結束を解く際も手で金属棒部を伸ばして横から抜くだけで容易に取り外すことができる。また、この金属棒部が、樹脂及びゴム材の少なくとも一方からなる保護層で覆われているので、金属部分が直接頭皮等に当たることを防ぐことができる。さらに、金属棒部の両端部に端部カバーが着脱自在に設けられているので、角部等がある金属棒部の端部が直接頭皮等に当たることを防ぐと共に、端部カバーを取り外して別の色やデザインの端部カバーに任意に取り替えることもできる。
【０００９】
また、本発明の髪止め具は、前記端部カバーが、装飾された端部装飾部を備えていることを特徴とする。すなわち、この髪止め具では、端部カバーが、アクセサリーとして端部装飾部を備えているので、自己のセンスで気に入った端部装飾部の端部カバーに交換することで、様々なファッション性を得ることができる。したがって、種々のデザインが施された端部装飾部の端部カバーを用意しておき、その中から選別したものを交換装着することで、多様なデザインバリエーションを得ることができる。
【００１０】
また、本発明の髪止め具は、前記金属棒部が、並列した複数の金属棒を芯材として備えていることを特徴とする。すなわち、この髪止め具では、並列した複数の金属棒を芯材とした金属棒部を有しているので、１本の金属棒で形成した場合に比べて、強度を向上させることができる。また、金属棒部が、並列した複数の金属棒により、保護層で覆った状態で断面形状が略楕円状又は略長方形状となり、表裏が明確になって表裏面を形成することができることから、円形断面の場合よりも髪に接触する面積が増大し、髪を留めやすくなる。さらに、金属棒部がねじれてしまった場合でも、容易にねじれを外観上で判断することができる。また、金属棒部に表裏面が形成されるため、平面的になってプリント等がし易くなると共に、表裏面に別々の模様や文字等を印刷等で表示することで、２種類のデザインによってリバーシブルな使い方が可能になる。
【００１１】
また、本発明の髪止め具は、前記端部カバーを取り外した状態で前記金属棒部を挿通させて前記金属棒部に取り付け可能な筒状装着部材を備えていることを特徴とする。すなわち、この髪止め具では、金属棒部に取り付け可能な上記筒状装着部材を備えているので、端部カバーを取り外して金属棒部を挿通させることで、特定の機能を持たせた筒状装着部材を、容易に取り付けることができる。
【００１２】
また、本発明の髪止め具は、前記筒状装着部材が、装飾された中間装飾部を備えていることを特徴とする。すなわち、この髪止め具では、筒状装着部材がアクセサリーとして中間装飾部を備えているので、金属棒部の中間部分にアクセサリーを装着することができると共に、自己のセンスで気に入った中間装飾部の筒状装着部材に任意に交換することで、様々なファッション性を得ることができる。また、複数の筒状装着部材を金属棒部に取り付けることが可能であるので、多くのアクセサリーや異なるアクセサリーを組み合わせて装着することができる。
【００１３】
さらに、本発明の髪止め具は、前記筒状装着部材が、櫛部を備えていることを特徴とする。すなわち、この髪止め具では、筒状装着部材が、櫛部を備えているので、髪を結束した状態で櫛部を髪に挿し込むことで、髪への固定力を向上させることができる。
【００１４】
また、本発明の髪止め具は、前記保護層の表面が、シリコーン樹脂で形成されていることを特徴とする。すなわち、この髪止め具では、低アレルギー性を有するシリコーン樹脂で保護層の表面が形成されているので、ゴムや金属等に対するアレルギー体質を持っている人でも安心して使用することができる。
【００１５】
また、本発明の髪止め具は、前記保護層の表面に凹凸が形成されていることを特徴とする。すなわち、この髪止め具では、保護層の表面に凹凸が形成されているので、滑り止め効果を得ることができると共に、デザイン上のアクセントにもなる。
【発明の効果】
【００１６】
本発明によれば、以下の効果を奏する。
すなわち、本発明に係る髪止め具によれば、樹脂及びゴム材の少なくとも一方からなる保護層で覆われた変形可能な金属棒部の両端部に、端部カバーが着脱自在に設けられているので、髪が引っ張られる等の不快感を生じずに、金属棒部の曲げ伸ばし作業だけで容易に髪の結束作業及び結束解除作業ができる。また、着脱可能な端部カバーにより頭皮等を金属棒部の端部から保護すると共に、別の色やデザインの端部カバーに任意に取り替え可能であり、多様な装飾効果を得ることができる。したがって、本発明の髪止め具によれば、より簡便かつ快適に髪を束ねることができると共に、より個性的で多様なヘアアクセサリー効果を得ることができ、特に、パーマ・エクステンションや特殊ヘア等に好適である。
【発明を実施するための最良の形態】
【００１７】
以下、本発明に係る髪止め具の第１実施形態を、図１から図４を参照しながら説明する。
【００１８】
本実施形態の髪止め具１は、図１及び図２に示すように、保護層３で覆われた変形可能な金属棒部２と、金属棒部２の両端部に着脱自在に設けられた端部カバー４と、を備えている。
上記金属棒部２は、図３に示すように、並列した一対の金属棒２ａを芯材として備えている。このため、金属棒部２は、保護層３で覆われた状態で断面形状が略楕円状又は略長方形状となっている。なお、これらの金属棒２ａは、例えばアルミニウム等の軽量な金属線材で形成されている。
【００１９】
上記保護層３は、図２及び図３に示すように、金属棒部２を直接覆うゴム又はビニールで形成されたコーティング層３ａと、このコーティング層３ａ上に積層される透明のシリコーン樹脂層３ｂと、で構成されている。このコーティング層３ａの表面及び裏面は、それぞれ着色や所定の模様や文字等の印刷がなされており、透明のシリコーン樹脂層３ｂを介して保護層３の表面及び裏面に表示されている。なお、保護層３の表面及び裏面に、それぞれ異なる色、模様や文字等を表示させても構わない。
【００２０】
上記端部カバー４は、ゴムや樹脂等で成形されたキャップ部材であり、一方の端部に金属棒部２を挿し込むための挿入穴４ａが形成されている。すなわち、この挿入穴４ａに、金属棒部２の端部が圧入されて着脱可能に固定されている。なお、この端部カバー４は、後述する実施形態で示すように、複数の種類のものに交換可能である。
【００２１】
次に、本実施形態の髪止め具１の製造方法について説明する。
【００２２】
まず、並列させた金属棒２ａにシート状のゴム材又はビニール材を巻き付けることにより、コーティング層３ａを形成する。そして、コーティング層３ａの表面及び裏面に、着色や所定の模様や文字等の印刷を行う。さらに、コーティング層３ａの上に透明液状のシリコーン樹脂を塗布して硬化させることにより、シリコーン樹脂層３ｂを形成する。これにより、コーティング層３ａ上に印刷された模様や文字等が透明なシリコーン樹脂層３ｂで保護される。
【００２３】
次に、金属棒部２の両端に、それぞれ端部カバー４を取り付けることで、本実施形態の髪止め具１が作製される。この際、端部カバー４の挿入穴４ａ内に、金属棒部２の端部を圧入することで端部カバー４の取り付けができると共に、端部カバー４の挿入穴４ａからある程度の力で金属棒部２を引き抜くことで、端部カバー４の取り外しも可能になっている。
【００２４】
次に、本実施形態の髪止め具１で、例えばポニーテール状に髪を束ねる方法について説明すると、図４に示すように、ロングヘアーの後ろ髪を束ね、束ねた髪Ｈの基端部分でこれを挟んで縛るようにして、金属棒部２を手で折り曲げて変形させる。このとき、折り曲げた金属棒部２は、その変形状態を維持すると共に、保護層３表面の摩擦力でずれずに束ねた髪Ｈに固定されることで、束ねた髪Ｈの状態を保持することができる。なお、髪止め具１を取り外して束ねた髪Ｈを解く場合は、変形状態の金属棒部２を手で元の直線状態に伸ばし、横から抜くだけで容易に取り外すことができる。
【００２５】
このように本実施形態の髪止め具１では、変形可能な金属棒部２を備えているので、ゴム紐のように収縮力を用いずに、金属棒部２を手で曲げて髪を容易に束ねることができると共に、結束を解く際も手で金属棒部２を伸ばして横から抜くだけで容易に取り外すことができる。また、この金属棒部２が、コーティング層３ａ及びシリコーン樹脂層３ｂからなる保護層３で覆われているので、金属部分が直接頭皮等に当たることを防ぐことができる。さらに、金属棒部２の両端部に端部カバー４が着脱自在に設けられているので、角部等がある金属棒部２の端部が直接頭皮等に当たることを防ぐと共に、端部カバー４を取り外して別の端部カバー４に任意に取り替えることもできる。
【００２６】
また、金属棒部２が、並列した一対の金属棒２ａを備えているので、１本の金属棒２ａで形成した場合に比べて、強度を向上させることができる。また、金属棒部２の断面形状が、並列した一対の金属棒２ａにより、保護層３で覆った状態で略楕円状又は略長方形状となり、表裏が明確になって表裏面を形成することができることから、１本の円形断面の場合よりも髪に接触する面積が増大し、髪を留めやすくなる。
【００２７】
さらに、金属棒部２がねじれてしまった場合でも、容易にねじれを外観上で判断することができる。また、金属棒部２に表裏面が形成されるため、平面的になってプリント等がし易くなると共に、表裏面に別々の模様や文字等を印刷等で表示することで、２種類のデザインによってリバーシブルな使い方が可能になる。
また、低アレルギー性を有するシリコーン樹脂層３ｂで保護層３の表面が形成されているので、ゴムや金属等に対するアレルギー体質を持っている人でも安心して使用することができる。
【００２８】
次に、本発明に係る髪止め具の第２実施形態について、図５から図７を参照して説明する。なお、以下の各実施形態の説明において、上記実施形態において説明した同一の構成要素には同一の符号を付し、その説明は省略する。
【００２９】
第２実施形態と第１実施形態との異なる点は、第１実施形態では、特に装飾が施されていない端部カバー４を用いているのに対し、第２実施形態の髪止め具１１では、図５に示すように、装飾された端部装飾部１２を先端に有する装飾端部カバー１４を取り付けている点である。また、第２実施形態では、装飾端部カバー１４を取り外した状態で、図６に示すように、金属棒部２を挿通させて金属棒部２に取り付け可能な筒状装着部材１３を備えている点で第１実施形態と異なっている。
【００３０】
すなわち、第２実施形態の装飾端部カバー１４は、その先端に形成された２つの発光体装着穴１２ａと、これらに圧入されて着脱可能に取り付けられる２つの棒状の蛍光発光体１２ｂと、を有する端部装飾部１２を有している。この蛍光発光体１２ｂは、樹脂チューブの中に蛍光化学発光液が封入されたものである。
【００３１】
また、筒状装着部材１３は、樹脂等で形成され金属棒部２が挿通可能な筒状部１３ａと、筒状部１３ａ上に固定され装飾された中間装飾部１３ｂと、を有している。上記筒状部１３ａは、金属棒部２の外径形状に対応した筒形状とされ、使用時にずれない程度の摩擦力で金属棒部２が挿通可能になっている。また、筒状装着部材１３を、金属棒部２に沿ってスライドさせることで、任意の位置に中間装飾部１３ｂを配することが可能となっている。なお、上記中間装飾部１３ｂは、例えば球状に樹脂成形された透明玉内に金色や銀色の金属片が混入されたものである。
【００３２】
次に、装飾端部カバー１４の他の例を、図７に示す。この装飾端部カバー２４は、その先端に一端が連結された鎖部２４ａと、鎖部２４ａの他端に取り付けられた星形金属片２４ｂと、で構成された端部装飾部２２を備えている。このように本実施形態では、装飾端部カバー１４、２４等の数種類が装飾端部カバーとして用意されている。
【００３３】
このように第２実施形態の髪止め具１１では、装飾端部カバー１４が、アクセサリーとして端部装飾部１２を備えているので、気に入った端部装飾部１２の装飾端部カバー１４に交換することで、様々なファッション性を得ることができる。したがって、種々のデザインが施された端部装飾部１２の装飾端部カバー１４を用意しておき、その中から自己のセンス等で選別したものを交換装着することで、多様なデザインバリエーションを得ることができる。なお、装飾端部カバー１４は、髪を結束した状態でも取り替え可能であるので、髪止め具１１を髪に付けたままで、別アクセサリーの端部装飾部２２の装飾端部カバー２４等に交換することができ、髪を結束した状態で種々のアクセサリーを試すことが可能である。
【００３４】
また、筒状装着部材１３がアクセサリーとして中間装飾部１３ｂを備えているので、気に入った中間装飾部１３ｂの筒状装着部材１３に交換することで、様々なファッション性を得ることができる。また、複数の筒状装着部材１３を金属棒部２に取り付けることが可能であるので、多くのアクセサリーや異なるアクセサリーを組み合わせて装着することができる。なお、中間装飾部１３ｂを有する筒状装着部材１３と端部装飾部１２を有する装飾端部カバー１４とを組み合わせることで、より多様で多くのアクセサリーを身につけることができ、カスタマイズ性がより高くなる。
【００３５】
次に、本発明に係る髪止め具の第３実施形態について、図８及び図９を参照して説明する。
【００３６】
第３実施形態と第２実施形態との異なる点は、第２実施形態では、中間装飾部１３ｂを有する筒状装着部材１３を金属棒部２に取り付けているのに対し、第３実施形態の髪止め具２１では、図８に示すように、櫛部３４を有する筒状装着部材３３を金属棒部２に取り付けている点である。すなわち、第３実施形態の髪止め具２１では、筒状装着部材３３の筒状部１３ａ下面に、外方に突出した複数の櫛歯３４ａで構成された櫛部３４が形成されている。
このように第３実施形態の髪止め具２１では、筒状装着部材３３が櫛部３４を備えているので、髪を束ねた状態で櫛部３４を髪に挿し込むことで、髪への固定力を向上させることができる。
【００３７】
なお、第３実施形態の他の例として、図９に示すように、櫛部３４と中間装飾部１３ｂとを両方有する筒状装着部材４３を用いても構わない。この場合、櫛部３４と中間装飾部１３ｂとを互いに筒状部１３ａの表裏面に分けて固定することにより、一つの筒状装着部材４３で、櫛部３４による髪への固定力向上と、中間装飾部１３ｂによる装飾効果と、を同時に得ることができる。
【００３８】
次に、本発明に係る髪止め具の第４実施形態について、図１０を参照して説明する。
【００３９】
第４実施形態と第１実施形態との異なる点は、第１実施形態では、それぞれ独立した端部カバー４が金属棒部２の端部に取り付けられているのに対し、第４実施形態の髪止め具３１では、図１０の（ａ）（ｂ）に示すように、アルミニウム等の金属細線材４２の両端に端部カバー４が固定されており、金属棒部２の両端に端部カバー４を取り付けた状態で、金属細線材４２を金属棒部２の保護層３上に螺旋状に巻き付けている点である。
【００４０】
すなわち、第３実施形態の髪止め具３１は、巻き付けられた金属細線材４２により、保護層３の表面に凹凸が形成されることになるので、凹凸による滑り止め効果を得ることができると共に、デザイン上のアクセントにもなる。
なお、金属細線材４２に対し、着色を施したり、アレルギー対策等としてシリコーン樹脂等でコーティングを施しても構わない。
【００４１】
なお、本発明の技術範囲は上記実施形態に限定されるものではなく、本発明の趣旨を逸脱しない範囲において種々の変更を加えることが可能である。
例えば、金属棒２ａに着色を施し、透明なコーティング層３ａ及びシリコーン樹脂層３ｂを用いることにより、クリア仕様の髪止め具としても構わない。
また、上記第２実施形態では、蛍光発光体１２ｂを用いた装飾端部カバー１４を採用しているが、装飾端部カバー内に小型電池とＬＥＤとを内蔵させて、ＬＥＤによる各色発光の装飾を行っても構わない。
【００４２】
また、上記各実施形態では、一対の金属棒２ａを用いているが、並列した３本以上の複数の金属棒２ａを採用しても構わない。なお、断面円形状である複数本の金属棒２ａではなく、断面長方形状の一本の長板状金属棒を用いて金属棒部としても構わない。この場合、並列した複数本の金属棒２ａを用いた場合のように、表裏面が形成される等の同様の効果を得ることができるが、ひねり等の繰り返しの曲げ力に対しては、複数本の金属棒２ａを用いた場合の方が金属疲労等の点で優れている。
【００４３】
さらに、上記各実施形態では、並列した金属棒２ａにシート状のゴム材又はビニール材を巻き付けることにより、コーティング層３ａを形成しているが、液状ゴムや液状ビニールに、並列した金属棒２ａを漬けて乾燥や熱硬化させることで、金属棒２ａ表面にゴム材やビニール材によるコーティング層３ａを形成する製法等を用いても構わない。
【００４４】
また、シリコーン樹脂層３ｂの代わりに皮材や布材を巻き付けても構わない。この場合、シリコーン樹脂とは異なる肌触りや質感を得ることができ、別のデザイン性を得ることができる。なお、この場合、低アレルギー効果が得られるシリコーン樹脂層３ｂと異なり、アレルギー性については、その皮材や布材の特性による。また、皮材や布材を巻き付ける方法以外に、筒状にした皮材や布材にコーティング層３ａを形成した金属棒２ａを挿入して両端を固定しても構わない。
【００４５】
これらの皮材や布材を保護層表面に設けた場合、例えばデザイン的にマッチングした端部カバーとして銀製等の金属の端部カバーを用いても構わない。このように金属製の端部カバーを用いる場合、直接、金属が頭皮等に当たることもあるので、角部を除去した丸みのあるデザインの端部カバーを採用することが好ましい。また、金属製の端部カバーの表面を透明のクリア樹脂等で覆って緩衝層を形成しても良い。
【００４６】
また、上記各実施形態では、１本の髪止め具を使用しているが、複数本の髪止め具を組み合わせて用いても構わない。この場合、複数本の髪止め具を互いに組み合わせて結合するための連結部材や連結部等を髪止め具に設けても構わない。例えば、上記筒状装着部材に、他の髪止め具を挟持したり嵌め込んだりして連結するジョイント部を設けることで、複数本の髪止め具を使用するときだけ、このジョイント部付き筒状装着部材を装着して、複数本で多様な髪止めかつ装飾効果を得ることができる。
【図面の簡単な説明】
【００４７】
【図１】本発明に係る第１実施形態の髪止め具を示す斜視図である。
【図２】第１実施形態の髪止め具において、金属棒に沿った要部の断面図である。
【図３】図２のＡ−Ａ線矢視断面図である。
【図４】第１実施形態の髪止め具の装着状態を示す斜視図である。
【図５】第２実施形態の髪止め具において、取り付けた装飾端部カバーを示す要部の斜視図である。
【図６】第２実施形態の髪止め具において、取り付けた筒状装着部材を示す要部の斜視図である。
【図７】第２実施形態の髪止め具において、取り付けた装飾端部カバーの他の例を示す要部の斜視図である。
【図８】第３実施形態の髪止め具において、取り付けた筒状装着部材を示す要部の斜視図である。
【図９】第３実施形態の髪止め具において、取り付けた筒状装着部材の他の例を示す要部の斜視図である。
【図１０】第４実施形態において、髪止め具を示す平面図及び端部カバーが付いた金属細線材を示す平面図である。
【符号の説明】
【００４８】
１、１１、２１、３１…髪止め具、２…金属棒部、２ａ…金属棒、３…保護層、３ａ…コーティング層、３ｂ…シリコーン樹脂層、４…端部カバー、１２、２２…端部装飾部、１４、２４…装飾端部カバー、１３、３３、４３…筒状装着部材、１３ｂ…中間装飾部、３４…櫛部、４２…金属細線材
【図１】
2006296512.tif 000003
【図２】
2006296512.tif 000004
【図３】
2006296512.tif 000005
【図４】
2006296512.tif 000006
【図５】
2006296512.tif 000007
【図６】
2006296512.tif 000008
【図７】
2006296512.tif 000009
【図８】
2006296512.tif 000010
【図９】
2006296512.tif 000011
【図１０】
2006296512.tif 000012